(57)【要約】【課題】高所作業においても安全かつ効率的に養生ネットの被覆ワイヤーに所定の緊張力を付与することができる緊張用治具を提供することである。【解決手段】養生ネットの被覆ワイヤーの緊張用治具１は、先端にフック５を備えた長ナット６に長ボルト７がねじ込まれ、該長ボルト７にスライド管１１が差し込まれ、該スライド管１１には養生ネット３の被覆ワイヤー４を掛止する掛止環１４が設けられてなる。【選択図】図１
2007270432.tif 000002
【特許請求の範囲】
【請求項１】
先端にフックを備えた長ナットに長ボルトがねじ込まれ、該長ボルトにスライド管が差し込まれ、該スライド管には養生ネットの被覆ワイヤーを掛止する掛止環が設けられたことを特徴とする養生ネットの被覆ワイヤーの緊張用治具。
【請求項２】
請求項１の養生ネットの被覆ワイヤーの緊張用治具を使用し、該緊張用治具先端のフックを鉄骨柱の引掛リングに掛止して養生ネットの被覆ワイヤーを鉄骨柱間に仮止めした後、長ボルトを電動工具で回転させて被覆ワイヤーを本緊張することを特徴とする養生ネットの設置方法。
【発明の詳細な説明】
【技術分野】
【０００１】
本願発明は養生ネットの被覆ワイヤーの緊張用治具および養生ネットの設置方法に関するものである。
【背景技術】
【０００２】
鉄骨躯体の外周柱間に張られる養生ネット１８は、鉄骨柱１９間の被覆ワイヤー２０に吊り下げられた状態で張られ、この被覆ワイヤー２０にターンバックル２１で所定の緊張力が付与されていた。この被覆ワイヤー２０に所定の緊張力を付与するには、図４に示すように、ターンバックル２１にラチェットレンチの柄２２などを差し込んで回転させていた。またその他の養生装置としては、例えば特開２０００−１９９６号の発明が知られている。
【特許文献１】特開２０００−１９９６号公報
【発明の開示】
【発明が解決しようとする課題】
【０００３】
しかし、上記の養生ネットの被覆ワイヤーに所定の緊張力を付与するには、ターンバックルにラチェットレンチの柄などを差し込んで回転させていたため手間がかかり、しかも作業中にターンバックルが落下するという危険もあった。そのため高所作業においては非常に危険な作業であり、安全かつ効率的な作業を行うことが困難であった。
【０００４】
本願発明はこれらの問題に鑑みてなされたものであり、その目的は、高所作業においても安全かつ効率的に養生ネットの被覆ワイヤーに所定の緊張力を付与することができる緊張用治具および養生ネットの設置方法を提供することである。
【課題を解決するための手段】
【０００５】
以上の課題を解決するための養生ネットの被覆ワイヤーの緊張用治具は、先端にフックを備えた長ナットに長ボルトがねじ込まれ、該長ボルトにスライド管が差し込まれ、該スライド管には養生ネットの被覆ワイヤーを掛止する掛止環が設けられたことを特徴とする。
また養生ネットの設置方法は、請求項１の養生ネットの被覆ワイヤーの緊張用治具を使用し、該緊張用治具の先端のフックを鉄骨柱の引掛リングに掛止して養生ネットの被覆ワイヤーを鉄骨柱間に仮止めした後、長ボルトを電動工具で回転させて被覆ワイヤーを本緊張することを特徴とする。
【発明の効果】
【０００６】
電動のラチェットレンチやインパクトレンチを使用して長ボルトを回転させて被覆ワイヤーを緊張するので、短時間でかつ誰でも容易に緊張作業をすることができる。また被覆ワイヤーを高張力で緊張することができ、作業中に治具などが落下することもない。また高所作業においても安全かつ効率的な作業をすることができる。作業者が電動工具を片手でもって被覆ワイヤーを緊張して養生ネットを設置することができる。
【発明を実施するための最良の形態】
【０００７】
以下、本願発明の養生ネットの被覆ワイヤーの緊張用治具（以下、緊張用治具という）の実施の形態を図面に基づいて説明する。また各実施の形態において同じ構成は同じ符号を付して説明する。
【０００８】
図１および図２は第１の実施の形態の緊張用治具１を示したものである。この緊張用治具１は鉄骨柱２間に張られた養生ネット３の被覆ワイヤー４の一端部に設けられている。この養生ネット３は所定の緊張力が付与された鉄骨柱２間の被覆ワイヤー４に吊り下げられて鉄骨躯体の外周に張られている。
【０００９】
この緊張用治具１は被覆ワイヤー４に所定の緊張力を付与するものであり、先端にフック５を備えた長ナット６と、この長ナット６にねじ込まれた長ボルト７とから構成されている。
【００１０】
このフック５は鉄骨柱２の引掛リング８に掛止するものであり、掛止後のフック５の外れを防ぐシャックル９が設けられている。したがって、このフック５はシャックル９を操作して引っ掛け、引っ掛けた後はシャックル９がフック５を塞ぐため引掛リング８から外れて落下することがない。
【００１１】
また長ナット６には長ボルト７のネジ部１０がねじ込まれ、このネジ部１０にはスライド管１１が挿入されている。このスライド管１１は長ボルト７が自由に回転できる径、すなわち長ボルト７よりも大径であるが、この径よりも大きなワッシャ１２でボルトの頭１３側からは抜け出ないようになっている。
【００１２】
またスライド管１１の上面には掛止環１４が設けられ、これに被覆ワイヤー４が掛止されている。したがって、電動のラチェットレンチやインパクトレンチをボルトの頭１３に差し込んで、長ボルト７を締め付ける方向に回転させると、長ボルト７が長ナット６にねじ込まれて鉄骨柱２側に移動するため被覆ワイヤー４には所定の緊張力が付与される。
【００１３】
このときスライド管１１は回転せずに被覆ワイヤー４を引っ張って所定の緊張力で養生ネット３を鉄骨柱２間に吊り下げる。また養生ネット３を取り外すときも、上記とは反対の作業で行うことができるので、安全かつ効率的な作業ができる。
【００１４】
図３は第２の実施の形態の緊張用治具１５である。この緊張用治具１５はスライド管１１に複数のガイド部材１６を設けたものであり、これ以外は第１の実施の形態の緊張用治具１と同じ構成である。
【００１５】
このガイド部材１６はスライド管１１の端部から延びて、その先端が長ナット６の外周に当接している。よって長ボルト７の回転に伴う回転（とも回り）はしないが、長ボルト７の回転による移動によって前後に移動するようになっており、被覆ワイヤー４の安定的な緊張を行うことができる。
【００１６】
次に、第１の実施の形態の緊張用治具１を使用した養生ネットの設置方法について説明する。まず緊張用治具１を、養生ネット３の被覆ワイヤー４の一端部に設置するが、この他端部は他方の鉄骨柱２に締結されている。
【００１７】
次に、緊張用治具１のフック５を一方の鉄骨柱２の引掛リング８に掛止して、被覆ワイヤー４を鉄骨柱２間に仮止めして、養生ネット３を仮設置する。
【００１８】
次に、緊張用治具１の長ボルト７に電動のラチェットレンチやインパクトレンチをボルトの頭１３に差し込んで、長ボルト７を締め付ける方向に回転させると、長ボルト７が長ナット６にねじ込まれて鉄骨柱２側に移動するため被覆ワイヤー４に所定の緊張力が付与されて、養生ネット３が鉄骨柱２間に張られる。
【００１９】
この締め付け作業は作業者が電動のラチェットレンチを片手で持ってできるため、高所作業でも安全に行うことができる。
【図面の簡単な説明】
【００２０】
【図１】第１の実施の形態の緊張用治具を使用した養生ネットの正面図である。
【図２】第１の実施の形態の緊張用治具の斜視図である。
【図３】第２の実施の形態の緊張用治具の斜視図である。
【図４】従来の緊張用治具の斜視図である。
【符号の説明】
【００２１】
１、１５  緊張用治具
２、１９  鉄骨柱
３、１８  養生ネット
４、２０  被覆ワイヤー
５  フック
６  長ナット
７  長ボルト
８  引掛リング
９  シャックル
１０  ネジ部
１２  ワッシャ
１３  ボルトの頭
１４  掛止環
１６  ガイド部材
２１  ターンバックル
２２  ラチェットレンチの柄
【図１】
2007270432.tif 000003
【図２】
2007270432.tif 000004
【図３】
2007270432.tif 000005
【図４】
2007270432.tif 000006